(57)【要約】【課題】部品点数を削減し、よりコンパクトな構成を有する光通信用光学プリズムおよびそれを備えた光送受信モジュールを提供する。さらに、簡素な構成でありながら、より簡便に組立可能である光学プリズムを提供する。【解決手段】第１および第２プリズム３０Ａ，３０Ｂが、それぞれ、直角を挟む２つの面のうちのいずれか一方がレンズ面３２Ａ，３２Ｂを形成し、屈折力を有するように構成したので、簡易な構成でありながら、波長分離機能とレンズ機能とを併せ持つことができる。さらに、斜面３１Ａ，３１Ｂに凸部３３Ａ，３３Ｂおよび凹部３４Ａ，３４Ｂを備えているので、貼り合わせ作業とは別の作業としての光軸合わせ作業が不要となり、低コスト化を図ることができる。【選択図】        図１
2005043635.tif 000002
【特許請求の範囲】
【請求項１】
波長分離膜を挟んでそれぞれの斜面が互いに対向するように配置された第１および第２の直角プリズムを有する光通信用光学プリズムであって、
前記第１および第２の直角プリズムは、それぞれ、直角を挟む２つの面のうちの少なくとも一方が屈折力を有するように構成されている
ことを特徴とする光通信用光学プリズム。
【請求項２】
前記第１および第２の直角プリズムは、それぞれ、前記斜面に位置決め手段を備えている
ことを特徴とする請求項１に記載の光通信用光学プリズム。
【請求項３】
前記第１および第２の直角プリズムは、互いに同一の形状および寸法を有し、かつ、同一の材質からなる
ことを特徴とする請求項１または請求項２に記載の光通信用光学プリズム。
【請求項４】
前記第１および第２の直角プリズムのうちのいずれか一方が、前記波長分離膜によって反射される波長を吸収する物質からなる
ことを特徴とする請求項１ないし請求項３のいずれか１項に記載の光通信用光学プリズム。
【請求項５】
請求項１ないし請求項４のうちのいずれか１項に記載の光通信用光学プリズムを備えたことを特徴とする光送受信モジュール。
【請求項６】
光学膜を挟んでそれぞれの斜面が互いに対向するように配置された第１および第２の直角プリズムを有する光学プリズムであって、
前記第１および第２の直角プリズムは、それぞれ、
直角を挟む２つの面のうちの少なくとも一方が屈折力を有し、かつ、前記斜面に位置決め手段を備えるように構成されている
ことを特徴とする光学プリズム。
【発明の詳細な説明】
【０００１】
【発明の属する技術分野】
本発明は、１組の直角プリズムを有する光通信用光学プリズムおよびそれを用いて光の送受信を行う光送受信モジュールならびに１組の直角プリズムを有する光学プリズムに関する。
【０００２】
【従来の技術】
近年、光ファイバを媒介とした高速デジタル伝送方式の普及がめざましく、現在のところ、局間を結ぶ幹線系のほとんどの通信線路において、これまでのメタリックケーブルに替わり光ファイバケーブルが敷設されている。今後は、事業所や家庭などの屋内にまで光ファイバを引き込むなど、局と加入者とを結ぶアクセス系の通信線路においても光化が促進され、より高速かつ広帯域の通信サービスが普及するものと予想される。この場合には、一般にＯＮＵ（Ｏｐｅｎ  Ｎｅｔｗｏｒｋ  Ｕｎｉｔ；光回線終端装置）が各加入者側の屋内に設置され、これを介して光ファイバとの信号の授受を行うこととなる。
【０００３】
ところで、複数の情報信号を１つの通信線路で効率よく伝送する方式として、古くから時分割多重伝送方式や周波数分割多重伝送方式が利用されている。光ファイバによる伝送においては、これらに加え、波長分割多重（ＷＤＭ；Ｗａｖｅｌｅｎｇｔｈ  Ｄｉｖｉｓｉｏｎ  Ｍｕｌｔｉｐｌｅｘｉｎｇ）伝送方式という新しい形態の多重伝送も可能である。具体的には、例えば、送信側において波長の異なる複数の光源（例えば、レーザダイオード）からの光信号を合波モジュールによって１つに結合したのちに１本の光ファイバに入射し、受信側において分波モジュールによって各波長ごとに分離し、さらに受光素子（例えば、フォトダイオード）により電気信号に変換するというものである。また、ＷＤＭ伝送方式では、双方向伝送も容易に行うことができる。双方向伝送とは、例えば、局側から波長λ１の光信号を光ファイバに入射し、この波長λ１の光信号を加入者側が受光素子で受信する一方で、加入者側が波長λ２の光信号を光ファイバに入射し、この波長λ２の光信号を局側が受光素子で受信するというものである。この場合、局側および加入者側の双方が、分波合波モジュール（光送受信モジュール）を備えることとなる。
【０００４】
ＯＮＵには、このような信号の多重および分離機能を有する光送受信モジュールが備えられている。図８に従来の光送受信モジュールの一構成例を示す。図８に示したように、光送受信モジュール１０１は、フォトダイオード素子を備えた受光部１１０と、レーザダイオード素子を備えた発光部１２０と、波長選択性を有し、異なる波長の光信号の分波および合波を行う分波合波プリズム１３０とを筐体１４０に備えるようにしたものである。受光部１１０と分波合波プリズム１３０との間には集光レンズ１１１が、分波合波プリズム１３０と発光部１２０との間には集光レンズ１２１がそれぞれ配置されている。分波合波プリズム１３０は、２つの直角プリズムを、互いの斜面が対向するように組み合わせたものである。さらに、筐体１４０は、フェルール１５１に保護された光ファイバ１５０を保持するように構成されている。光送受信モジュール１０１では、光ファイバ１５０のコア１５０Ａからの射出光Ｌ１０１（例えば、波長λ＝１．３μｍの光）が、分波合波プリズム１３０の接合面１３１をそのまま透過（直進）し、集光レンズ１１１によって集光されながら受光部１１０に入射（結像）する。一方、発光部１２０からの射出光Ｌ１０２（例えば、波長λ＝１．５５μｍの光）が、集光レンズ１２１によって集光されながら、分波合波プリズム１３０の接合面１３１で進行方向に対し直角な方向に反射されたのち光ファイバ１５０のコア１５０Ａに入射する。このような光送受信モジュールは、例えば、特許文献１に開示されている。
【０００５】
また、光通信とは異なる分野ではあるが、上記の光学プリズムに類似する色合成プリズムが特許文献２に開示されている。この色合成プリズムは投射型表示装置に搭載され、画像情報を含んだ赤、青および緑の各色光を合成するものであり、入射面がレンズ作用を持つ２つの直角プリズム（三角柱状プリズム）を含む４つの直角プリズムを貼り合わせた構造を有している。さらに、レンズ作用を持つ直角プリズムとしては、特許文献３に開示された結像素子アレイが知られている。
【０００６】
【特許文献１】
特開２０００−１８０６７１号公報
【特許文献２】
特開２００１−６６６９４号公報
【特許文献３】
特開２００２−３５０６０４号公報
【０００７】
【発明が解決しようとする課題】
最近では、特許文献１に記載されたような光送受信モジュールに対して、小型化、量産性の向上および低コスト化が求められつつあり、部品点数の削減や構造の簡素化といった観点からのさらなる改善が必要となっている。また、上記色合成プリズムや結像素子アレイは、用途や構成が異なるので、上記のような光送受信モジュールにそのまま適用することは困難である。例えば、上記色合成プリズムは、３つの異なる波長に関する合波に関するものであるし、一方の上記結像素子アレイは、分波または合波といった機能を備えていないからである。さらに、特許文献２では、上記色合成プリズムを組み立てる際、４つの三角柱状プリズムの頂角部が１点に揃うように位置調整をおこなったのちＵＶ硬化型接着剤により接着すると記載されているが、実際には高精度に位置合わせを行うのは極めて困難な作業であると予想される。
【０００８】
本発明はかかる問題点に鑑みてなされたもので、その第１の目的は、部品点数を削減し、よりコンパクトな構成を有する光通信用光学プリズムおよびそれを備えた光送受信モジュールを提供することにある。本発明の第２の目的は、簡素な構成でありながら、より簡便に組立可能である光学プリズムを提供することにある。
【０００９】
【課題を解決するための手段】
本発明に係る光通信用光学プリズムは、波長分離膜を挟んでそれぞれの斜面が互いに対向するように配置された第１および第２の直角プリズムを有する光通信用光学プリズムであって、第１および第２の直角プリズムが、それぞれ、直角を挟む２つの面のうちの少なくとも一方が屈折力を有するように構成されたものである。ここで、「直角」とは、斜面に対向する位置にある角を指す。「直角プリズム」とは、側面が直角二等辺三角形をなすものに限られず、側面が直角二等辺三角形以外の三角形をなすものも含む意味である。
【００１０】
本発明に係る光通信用光学プリズムでは、上記の構成とすることにより、波長分離機能に加え、レンズ機能を併せ持つことができる。
【００１１】
本発明に係る光送受信モジュールは、波長分離膜を挟んでそれぞれの斜面が対向するように配置された第１および第２の直角プリズムを有する光通信用光学プリズムを含むものであって、第１および第２の直角プリズムが、それぞれ、直角を挟む２つの面のうちの少なくとも一方が屈折力を有するように構成されたものである。
【００１２】
本発明に係る光送受信モジュールでは、上記の構成とすることにより、波長分離機能または光学機能に加え、レンズ機能を併せ持つことができる。
【００１３】
本発明の光通信用光学プリズムおよび光送受信モジュールでは、第１および第２の直角プリズムのうちのいずれか一方が、波長分離膜によって反射される波長を吸収する物質からなることが望ましい。
【００１４】
本発明に係る光通信用光学プリズムおよび光送受信モジュールでは、第１および第２のプリズムが、それぞれ、互いに対向する面に位置決め手段を有するようにすることが望ましい。また、第１および第２のプリズムが、互いに同一形状および同一寸法を有し、かつ同一の材質からなることが望ましい。
【００１５】
本発明に係る光学プリズムは、光学膜を挟んでそれぞれの斜面が互いに対向するように配置された第１および第２の直角プリズムを有する光学プリズムであって、第１および第２の直角プリズムが、それぞれ、直角を挟む２つの面のうちの少なくとも一方が屈折力を有し、かつ、斜面に位置決め手段を備えるように構成されたものである。
【００１６】
本発明に係る光学プリズムでは、上記の構成とすることにより、光学機能に加え、レンズ機能を併せ持つことができると共に、位置決め手段によって相互の位置決めが行われる。
【００１７】
【発明の実施の形態】
以下、本発明の実施の形態について、図面を参照して詳細に説明する。
【００１８】
まず、図１および図２を参照して、本発明の一実施の形態に係る光通信用光学プリズムを搭載した光送受信モジュールの構成について説明する。図１は、本実施の形態に係る光送受信モジュールの構成を示した構成図であり、図２は、それに搭載される光通信用光学プリズムの構成を拡大して示したものである。なお、図１においては、光線との混乱を避けるためハッチングを省略する。
【００１９】
図１に示した光送受信モジュール１（以下、単に光モジュール１と記す。）は、例えば、光回線終端装置（ＯＮＵ）の一部として設けられ、波長分割多重（ＷＤＭ）伝送方式による双方向通信を行う際に用いられるものである。図１に示したように、光モジュール１は、受光部１０と、発光部２０と、光通信用光学プリズムとしての分波合波プリズム３０とを筐体４０に設けるようにしたものである。筐体４０は、例えば、ステンレスからなり、分波合波プリズム３０を挟んで受光部１０とは反対側に、酸化ジルコニウム（ＺｒＯ２）等からなるフェルール５１に保護された光ファイバ５０を保持するようになっている。この際、光ファイバ５０の長手方向に伸びる中心軸が、受光部１０と分波合波プリズム３０とを結ぶ光軸の延長線と一致するようにする。
【００２０】
受光部１０は、例えば、フォトダイオード素子（ＰＤ素子）を備えており、分波合波プリズム３０を介して光ファイバ５０からの、例えば波長λ１＝１．３μｍの信号光Ｌ１を受光するものである。
【００２１】
発光部２０は、例えば、レーザダイオード素子（ＬＤ素子）を備えており、分波合波プリズム３０を介して光ファイバ５０に向けて、例えば、波長λ２＝１．５５μｍの信号光Ｌ２を発するものである。発光部２０は、受光部１０と分波合波プリズム３０とを結ぶ光軸（図１におけるＸ軸方向に沿った直線）に対し分波合波プリズム３０において直交する直線（図１におけるＹ軸に沿った直線）上に設けられている。
【００２２】
分波合波プリズム３０は、光学膜の１つである波長分離膜を挟んでそれぞれの斜面が対向するように配置された第１および第２直角プリズム３０Ａ，３０Ｂを有するものである。第１および第２プリズム３０Ａ，３０Ｂは、それぞれ、側面が直角二等辺三角形である三角柱状をなし、少なくとも一方に波長分離膜が形成された互いの斜面が接合されることにより接合面３１を形成している。この分波合波プリズム３０は、波長選択性を有し、異なる波長の信号光（例えば、上記波長λ１，λ２を有する信号光Ｌ１，Ｌ２）の分波および合波を行う。具体的には、接合面３１は、例えば、波長λ１の信号光Ｌ１をそのまま透過しつつ、波長λ２の信号光Ｌ２を入射方向と直交する方向に反射する。ここで、第１および第２プリズム３０Ａ，３０Ｂは、本発明の「第１および第２の直角プリズム」に対応する一具体例である。
【００２３】
図２に示したように、第１および第２プリズム３０Ａ，３０Ｂは、直角を挟む２つの面のうちの少なくとも一方がレンズ面をなし、屈折力を有するように構成されている。ここでは、接合面３１を中心として対称な位置関係となるように、レンズ面３２Ａ，３２Ｂを形成するようにしている（図２（Ａ）参照。）。レンズ面３２Ａ，３２Ｂは、いずれも、球面形状に限られたものではなく、非球面形状であってもよい。あるいは、ホログラムパターンを有するフレネルゾーンプレートなどの回折光学素子であってもよい。ここで、レンズ面３２Ａ，３２Ｂの曲率半径は互いに等しくてもよいし、異なっていても良い。但し、後述するように部品の共有化を図るためには、互いに等しい曲率半径とすることが望ましい。
【００２４】
斜面３１Ａには、凸部３３Ａおよび凹部３４Ａがそれぞれ例えば２つずつ形成されており、斜面３１Ｂには、凸部３３Ａおよび凹部３４Ａに対応するように、凸部３３Ｂおよび凹部３４Ｂがそれぞれ２つずつ形成されている。これら凸部３３Ａ，３３Ｂおよび凹部３４Ａ，３４Ｂは、本発明における「位置決め手段」に対応する一具体例であり、図２（Ｂ）に示したように、斜面３１Ａと斜面３１Ｂとを向かい合わせた際に、凸部３３Ａと凹部３４Ｂとが嵌合すると共に凸部３３Ｂと凹部３４Ａとが嵌合し、光軸の位置合わせを行うようになっている。一般的な直角プリズムを組み合わせたものであれば、光路調整を行うことはさほど困難ではないが、本実施の形態の分波合波プリズム３０の場合には、レンズ面３２Ａ，３２Ｂが形成されているので、第１プリズム３０Ａと第２プリズム３０Ｂとの貼り合わせの際には、より厳密な光軸調整が必要となる。分波合波プリズム３０は、上記のような位置決め手段を有しているので、第１プリズム３０Ａと第２プリズム３０Ｂとの貼り合わせ作業を行うことにより、自動的に光軸調整を行うことができる。また、第１および第２プリズム３０Ａ，３０Ｂが、互いに同一形状および同一寸法を有し、かつ同一の材質からなるようにした場合には、すなわち、同種の部品を組み合わせて分波合波プリズム３０を構成するようにした場合には、部品の共有化による低コスト化が期待できる。
【００２５】
光ファイバ５０は、実際に送信光や受信光が伝搬するコア５０Ａと、このコア５０Ａの周囲を長手方向に覆うクラッド５０Ｂとを備えている。コア５０Ａは、クラッド５０Ｂと比べて高い屈折率を示す。
【００２６】
次に、以上のように構成された光モジュール１の作用について、図１を参照して説明する。
【００２７】
光モジュール１では、例えば、波長λ１＝１．３μｍの信号光Ｌ１が光ファイバ５０から射出し第１プリズム３０Ａに入射すると、接合面３１をそのまま透過して直進し、第２プリズム３０Ｂを通過する。この際、レンズ面３２Ｂによって集光されて受光部１０に入射（結像）する。一方、発光部２０から、例えば、波長λ２＝１．５５μｍの信号光Ｌ２が射出され、分波合波プリズム３０のレンズ面３２Ａに入射する。レンズ面３２Ａに入射した信号光Ｌ２は、レンズ面３２Ａの屈折力により集光されながら、分波合波プリズム３０の接合面３１において進行方向（Ｙ軸方向）と直交する方向（Ｘ軸方向）に反射し、光ファイバ５０のコア５０Ａに入射する。
【００２８】
このように、光モジュール１は、受信光としての信号光Ｌ１を検出可能な受光部１０と、送信光としての信号光Ｌ２を射出する発光部２０と、信号光Ｌ１と信号光Ｌ２とを選択的に反射および透過、または反射もしくは透過することが可能なうえ、レンズ機能をも有する分波合波プリズム３０とを備えるようにしたので、比較的コンパクトな構成でありながら、１本の光ファイバ５０を用いた双方向伝送が可能となる。すなわち、従来の光モジュール１０１の場合には、分波合波プリズム１３０とは別体の２つの集光レンズ１１１，１２１を設けるようにしたので、部品点数が多く、光軸調整が煩雑である。しかしながら、本実施の形態の光モジュール１によれば、レンズ機能と波長分離機能とを一体化した分波合波プリズム３０を備えるようにしたので、比較的容易に光軸調整が可能である。
【００２９】
この場合、さらに、第２プリズム３０Ｂにおける直角を挟む２つの面のうち、信号光Ｌ１，Ｌ２がいずれも通過しない不使用面３５に凹凸形状を形成するなどして不要な信号光の除去を行うようにしてもよい。このようにすることにより、例えば、発光部２０からの波長λ２の信号光Ｌ２のうち、接合面３１の波長分離膜３１を透過してしまった成分を不使用面３５で吸収することができ、内部反射等により受光部１０に及ぶ信号光Ｌ２を低減することができる。
【００３０】
以上のように、本実施の形態によれば、第１および第２プリズム３０Ａ，３０Ｂが、それぞれ、直角を挟む２つの面のうちの一方がレンズ面３２Ａ，３２Ｂを形成し、屈折力を有するように構成したので、簡易な構成でありながら、発光部２０からの信号光Ｌ２をレンズ面３２Ａによって集光しながら、接合面３１において反射させたのち光ファイバ５０のコア５０Ａに入射させ、その一方で、コア５０Ａから射出される信号光Ｌ１を、接合面３１を透過させたのちレンズ面３２Ｂによって集光しつつ受光部１０に入射させることができる。
【００３１】
特に、第１および第２プリズム３０Ａ，３０Ｂが、それぞれ、接合面３１を形成する斜面３１Ａ，３１Ｂに、位置決め手段としての凸部３３Ａ，３３Ｂおよび凹部３４Ａ，３４Ｂを有しているので、第１プリズム３０Ａと第２プリズム３０Ｂとを組み立てると同時に互いの光軸が合うこととなる。このため、貼り合わせ作業とは別の作業としての光軸合わせ作業が不要となり、低コスト化を図ることができる。
【００３２】
＜変形例＞
次に、本実施の形態における光モジュール１の変形例について説明する。図３は、変形例としての光モジュール１Ａの概略構成を示したものである。
【００３３】
上記実施の形態では、受光部と発光部とを１つずつ備えるようにしたが、本変形例は、図３に示したように、２つの受光部１０，１１を備えるようにしたものである。このような構成の場合には、例えば、波長λ１＝１．３μｍの信号光Ｌ１がコア５０Ａから−Ｘ方向に射出されると、第１プリズム３０Ａに入射したのち、接合面３１をそのまま透過して直進し、第２プリズム３０Ｂを通過する。この際、レンズ面３２Ｂによって集光されて受光部１０に入射（結像）する。一方、波長λ２＝１．５５μｍの信号光Ｌ２がコア５０Ａから射出されると、第１プリズム３０Ａに入射したのち、接合面３１によって直角方向（−Ｙ方向）に反射され、レンズ面３２Ａから射出する。この際、レンズ面３２Ａによって集光されて受光部１１に入射（結像）する。
【００３４】
この場合には、特に、接合面３１の波長分離膜によって反射される波長λ２の信号光Ｌ２を吸収する物質によって第２プリズム３０Ｂを構成するようにすることが望ましい。こうすることにより、コア５０Ａからの信号光Ｌ２のうちの波長分離膜を透過してしまった成分を吸収できるので、受光部１０に入射する不要光となりうる信号光Ｌ２をより低減することができ、クロストークを抑制することができる。
【００３５】
以上、実施の形態および変形例を挙げて本発明を説明したが、本発明はこれらの実施の形態および変形例に限定されず、種々の変形が可能である。具体的には、例えば、上記実施の形態および変形例では、位置決め手段として、円柱形状をなす凸部および凹部を例に説明するようにしたが、形状はこれに限定されるものではなく、また、凸部と凹部とを嵌合させる手段に限定されるものでもない。
【００３６】
また、上記実施の形態では、送信光を発する発光部と受信光を受信する受光部とを１つずつ備えるようにした場合について説明し、上記変形例では、受光部を２つ備えるようにした場合について説明するようにしたが、これに限定されず、図４に示したように発光部を２つ備えるようにしてもよい。図４の場合には、発光部２１からの波長λ１の信号光Ｌ１がレンズ面３２Ｂによって集光されつつ分波合波プリズム３０を直進して透過し、コア５０Ａに入射すると共に、発光部２０からの波長λ２の信号光Ｌ２がレンズ面３２Ａで集光されつつ接合面３１で直角反射し、コア５０Ａに入射することとなる。また、発光部と受光部とを１つずつ設ける場合であっても、図１の位置関係に限定されず、図５に示したようにしてもよい。図５の場合には、発光部２１を射出したλ１の信号光Ｌ１が、レンズ面３２Ｂによって集光されつつ分波合波プリズム３０を直進して透過し、コア５０Ａに入射すると共に、コア５０Ａからの波長λ２を有する信号光Ｌ２が、接合面３１で反射されてレンズ面３２Ａによって受光部１１に集光される。
【００３７】
また、上記実施の形態および変形例では、第１および第２の直角プリズムは、それぞれ、直角を挟む２つの面のうちの一方にのみ、レンズ面を備えるようにしたが、例えば図６に示した分波合波プリズム３０１のように、それぞれ直角を挟む２つの面の両方にレンズ面を備えるようにしてもよい。この場合には、より強い屈折力を発揮することができ、発光部もしくは受光部と光学プリズムとの間隔、または光学プリズムと光ファイバの端面位置との間隔をより狭めることができるので、コンパクト化に有利となる。また、レンズ面の屈折力は必ずしも正でなくともよく、発光部または受光部と、光学プリズムと、光ファイバの端面との相互の間隔に応じて、適宜、正または負の屈折力を選択することができる。また、図７に示した分波合波プリズム３０２のように、一方の直角プリズムのみ（図７では３０２Ａ）が２つのレンズ面を有するようにしてもよい。但し、この場合には、第１プリズム３０２Ａと第２プリズム３０２Ｂとの形状が異なってしまうので部品の共有化はできない。しかし、この分波合波プリズム３０２を図１に示した光モジュール１に適用し、不使用面３７に凹凸を設け、発光部２０からの信号光Ｌ２のうちの接合面３１を透過してしまう不要な成分を吸収するようにすることもできる。この場合には、クロストークの低減と、コンパクト化とを同時に達成することができる。また、上記本実施の形態では、第１および第２の直角プリズムが、それぞれ、少なくとも１つのレンズ面を有するようにしたが、これに限定されず、第１および第２の直角プリズムのうちのいずれか一方が、直角を挟む２つの面のうちの少なくとも一方がレンズ面をなすように構成してもよい。
【００３８】
また、上記実施の形態および変形例では、第１および第２の直角プリズムが挟む光学膜として波長分離膜を設けるようにしたが、これに限定されず、用途に応じて、光量を減衰させるハーフミラーとして機能する膜や、偏光膜を用いるようにしてもよい。例えば、ハーフミラーとして機能する膜を用いることにより、半透過プリズムとすることができる。あるいは、偏光膜を用いることにより、偏光ビームスプリッタとすることができる。
【００３９】
【発明の効果】
以上説明したように、本発明の光通信用光学プリズムおよびそれを備えた光送受信モジュールによれば、波長分離膜を挟んでそれぞれの斜面が互いに対向するように配置された第１および第２の直角プリズムを有し、これら第１および第２の直角プリズムが、それぞれ、直角を挟む２つの面のうちの少なくとも一方が屈折力を有するように構成したので、部品点数を削減でき、よりコンパクトな構成とすることができる。
【００４０】
特に、第１および第２の直角プリズムが、それぞれ、互いに対向する面に位置決め手段を有するようにすると、貼り合わせ作業と同時に光軸合わせを容易に行うことができ、組み立て作業の簡素化を図ることができる。
【００４１】
また、特に、第１および第２の直角プリズムが、互いに同一の形状および寸法を有し、かつ、同一の材質からなるようにすると、部品の共有化を図ることができ、低コスト化に有利となる。
【００４２】
また、本発明の光学プリズムによれば、光学膜を挟んでそれぞれの斜面が互いに対向するように配置された第１および第２の直角プリズムを有し、これら第１および第２の直角プリズムが、それぞれ、直角を挟む２つの面のうちの少なくとも一方が屈折力を有し、かつ、斜面に位置決め手段を備えるように構成したので、部品点数を削減でき、よりコンパクトな構成とすることができるうえ、貼り合わせ作業と同時に光軸合わせを容易に行うことができ、組み立て作業の簡素化を図ることができる。
【図面の簡単な説明】
【図１】本発明の一実施の形態に係る光送受信モジュールの内部構成を表す断面図である。
【図２】図１に示した光送受信モジュールにおける分波合波プリズムを拡大して示す構成図である。
【図３】図１に示した光送受信モジュールの変形例としての内部構成を表す断面図である。
【図４】図１に示した光送受信モジュールの他の変形例としての内部構成を表す断面図である。
【図５】図１に示した光送受信モジュールの別の他の変形例としての内部構成を表す断面図である。
【図６】図１に示した光送受信モジュールにおける分波合波プリズムの変形例を拡大して示す構成図である。
【図７】図１に示した光送受信モジュールにおける分波合波プリズムの他の変形例を拡大して示す構成図である。
【図８】従来の光送受信モジュールの内部構成を表す断面図である。
【符号の説明】
１…光送受信モジュール、１０，１１…受光部、２０，２１…発光部、３０…分波合波プリズム、４０…筐体、５０…光ファイバ、Ｌ１，Ｌ２…信号光。
【図１】
2005043635.tif 000003
【図２】
2005043635.tif 000004
【図３】
2005043635.tif 000005
【図４】
2005043635.tif 000006
【図５】
2005043635.tif 000007
【図６】
2005043635.tif 000008
【図７】
2005043635.tif 000009
【図８】
2005043635.tif 000010